(57)【特許請求の範囲】
【請求項１】
コネクタブロック本体に複数のインジェクタが取り付けられるとともに単数のコネクタ接続部が設けられ、
前記コネクタ接続部は、前記複数のインジェクタに対応する数のコネクタ単独接続端子及び単数のコネクタ共通接続端子を有し、かつ、外部配線接続コネクタを接続可能に形成され、
前記各インジェクタのインジェクタ単独接続端子及びインジェクタ共通接続端子と前記コネクタ接続部の各コネクタ単独接続端子及びコネクタ共通接続端子との間に複数の電線が配線されているインジェクタ用コネクタブロックであって、
前記複数の電線は、前記各インジェクタのインジェクタ単独接続端子と前記コネクタ接続部の各コネクタ単独接続端子との間にそれぞれ配線される複数の単独電線、及び、前記各インジェクタのインジェクタ共通接続端子と前記コネクタ接続部のコネクタ共通接続端子との間にそれぞれ配線される複数の共通電線であり、
前記各インジェクタのインジェクタ単独接続端子にそれぞれ接続される前記複数の単独電線がインジェクタ側から前記コネクタ接続部の各コネクタ単独接続端子にそれぞれ接続され、
前記各インジェクタのインジェクタ共通接続端子にそれぞれ接続される前記複数の共通電線のうちの一部の共通電線がインジェクタ側からコネクタ接続部のコネクタ共通接続端子に接続されるとともに、その残りの共通電線が反インジェクタ側を迂回して反インジェクタ側からコネクタ接続部のコネクタ共通接続端子に接続されており、
前記複数の単独電線及び複数の共通電線が非交差状態で配線されている
ことを特徴とするインジェクタ用コネクタブロック。
【請求項２】
前記複数の単独電線及び複数の共通電線がほぼ一平面上において配線されていることを特徴とする請求項１記載のインジェクタ用コネクタブロック。
【請求項３】
前記各インジェクタが一列に配置され、
前記コネクタ接続部には、前記複数のコネクタ単独接続端子と前記単数のコネクタ共通接続端子が前記インジェクタの列にほぼ平行をなすコネクタ接続端子列をもって一列に配置されている
ことを特徴とする請求項１又は２記載のインジェクタ用コネクタブロック。
【請求項４】
請求項１〜３のいずれかに記載のインジェクタ用コネクタブロックを備えたことを特徴とする燃料供給装置。
【発明の詳細な説明】
【０００１】
【発明の属する技術分野】
本発明は、自動車等の内燃機関（エンジンともいう）における各インジェクタ（燃料噴射弁ともいう）に対しそのインジェクタを作動させる電源を供給するインジェクタ用コネクタブロック及びそのコネクタブロックを備えた燃料供給装置に関するものである。
【０００２】
【従来の技術】
従来、この種のインジェクタ用コネクタブロックには、例えば特開平１０−１８４４９０号公報により開示されたものがある。この公開公報のものは、コネクタブロック本体に複数のインジェクタ接続部及び単数のコネクタ接続部が設けられている。各インジェクタ接続部は、インジェクタを接続可能に形成されている。また、コネクタ接続部は、外部配線接続コネクタを接続可能に形成されている。また、各インジェクタにつながる各電線がコネクタ接続部に集約して配線されている。
【０００３】
【発明が解決しようとする課題】
しかしながら、従来のインジェクタ用コネクタブロックによると、複数のインジェクタにつながるとともに単数のコネクタ接続部に集約して配線される各電線が途中で交差して配線されている。したがって、配線の短絡を発生するおそれがあった。
【０００４】
本発明は上記した問題点を解決するためになされたものであって、本発明が解決しようとする課題は、配線の短絡の発生を防止することのできるインジェクタ用コネクタブロック及びそのコネクタブロックを備えた燃料供給装置を提供することにある。
【０００５】
【課題を解決するための手段】
前記課題を解決する請求項１の発明は、
コネクタブロック本体に複数のインジェクタが取り付けられるとともに単数のコネクタ接続部が設けられ、
前記コネクタ接続部は、前記複数のインジェクタに対応する数のコネクタ単独接続端子及び単数のコネクタ共通接続端子を有し、かつ、外部配線接続コネクタを接続可能に形成され、
前記各インジェクタのインジェクタ単独接続端子及びインジェクタ共通接続端子と前記コネクタ接続部の各コネクタ単独接続端子及びコネクタ共通接続端子との間に複数の電線が配線されているインジェクタ用コネクタブロックであって、
前記複数の電線は、前記各インジェクタのインジェクタ単独接続端子と前記コネクタ接続部の各コネクタ単独接続端子との間にそれぞれ配線される複数の単独電線、及び、前記各インジェクタのインジェクタ共通接続端子と前記コネクタ接続部のコネクタ共通接続端子との間にそれぞれ配線される複数の共通電線であり、
前記各インジェクタのインジェクタ単独接続端子にそれぞれ接続される前記複数の単独電線がインジェクタ側から前記コネクタ接続部の各コネクタ単独接続端子にそれぞれ接続され、
前記各インジェクタのインジェクタ共通接続端子にそれぞれ接続される前記複数の共通電線のうちの一部の共通電線がインジェクタ側からコネクタ接続部のコネクタ共通接続端子に接続されるとともに、その残りの共通電線が反インジェクタ側を迂回して反インジェクタ側からコネクタ接続部のコネクタ共通接続端子に接続されており、
前記複数の単独電線及び複数の共通電線が非交差状態で配線されている
ことを特徴とするインジェクタ用コネクタブロックである。
【０００６】
このように構成すると、複数のインジェクタと単数のコネクタ接続部との間に配線される複数の電線が非交差状態で配線されている。すなわち、各インジェクタのインジェクタ単独接続端子とコネクタ接続部の各コネクタ単独接続端子との間にそれぞれ配線される複数の単独電線、及び、各インジェクタのインジェクタ共通接続端子とコネクタ接続部のコネクタ共通接続端子との間にそれぞれ配線される複数の共通電線が非交差状態で配線されている。これにより、コネクタブロックにおける配線の短絡の発生を防止することができる。
【０００９】
請求項２の発明は、前記複数の単独電線及び複数の共通電線がほぼ一平面上において配線されていることを特徴とする請求項１記載のインジェクタ用コネクタブロックである。このように構成すると、各電線すなわち複数の単独電線及び複数の共通電線を交差状態で配線する場合と比べ、コネクタブロックの厚さの増加を防止することができる。なお、本明細書において、「コネクタブロックの厚さ」とは、電線を配線する面に対して直交する方向の寸法をいう。
【００１０】
請求項３の発明は、
前記各インジェクタが一列に配置され、
前記コネクタ接続部には、前記複数のコネクタ単独接続端子と前記単数のコネクタ共通接続端子が前記インジェクタの列にほぼ平行をなすコネクタ接続端子列をもって一列に配置されている
ことを特徴とする請求項１又は２記載のインジェクタ用コネクタブロックである。
【００１１】
このように構成すると、コネクタ接続部の複数のコネクタ単独接続端子と単数のコネクタ共通接続端子を各インジェクタの列に対しほぼ平行に配置することができる。
【００１２】
請求項４の発明は、請求項１〜３のいずれかに記載のインジェクタ用コネクタブロックを備えたことを特徴とする燃料供給装置である。このように構成すると、コネクタブロックにおける配線の短絡の発生を防止することのできるインジェクタ用コネクタブロックを備えた燃料供給装置を提供することができる。なお、本明細書でいう「燃料供給装置」とは、インジェクタ、燃料ポンプ、燃料配管等を含み、燃料タンク内の燃料を吸い込んでインジェクタから噴出するまでの燃料供給にかかる装置をいう。
【００１３】
【発明の実施の形態】
本発明の実施の形態１〜４を順に説明する。
［実施の形態１］
本発明の実施の形態１を図面に基づいて説明する。実施の形態１では、インジェクタ用コネクタブロックとして、コネクタブロック本体に燃料供給路が一体に設けられている直列３気筒エンジン用のフューエルデリバリパイプを例示する。図１にフューエルデリバリパイプの正面図、図２にその下面図が示されている。
【００１４】
図１及び図２において、フューエルデリバリパイプは、コネクタブロック本体３０と、そのブロック本体３０の正面に取り付けられたカバー体（後述する）３８とを有している。コネクタブロック本体３０の配線を含む正面図が図３、コネクタブロック本体３０の正面図が図４、その下面図が図５、図４のＶＩ−ＶＩ線断面図が図６、図４のＶＩＩ−ＶＩＩ線断面図が図７に示されている。
【００１５】
コネクタブロック本体３０を説明する。図４〜図６に示すように、コネクタブロック本体３０は、ほぼ横長の直円管状に形成されたパイプ部３１を主体として形成されている。パイプ部３１の中空内部に燃料供給路３２（図６参照）が形成されている。なお、コネクタブロック本体３０は、例えば、短繊維からなるフィラー状補強材が混入された複合樹脂からなる樹脂成形品である。その複合樹脂には、ポリアミド樹脂、例えば６６ナイロンが用いられ、また、フィラー状補強材にはガラス繊維が好適に用いられる。
【００１６】
図４及び図５に示すように、前記パイプ部３１は、その一端部（図４において右端部）において径方向（図４及び図５において下方）に突出する燃料供給管接続部３１ａを一体に備えている。その燃料供給管接続部３１ａには、パイプ部３１内の燃料供給路３２（図６参照）に燃料を供給するための燃料供給管（図示省略）が接続される。
【００１７】
また、前記パイプ部３１の他端部（図４において左端部）において、コネクタブロック本体３０の樹脂成形時に開口された端面は、封止用キャップ３９によって封止されている。封止用キャップ３９は、パイプ部３１に熱溶着、接着等により取り付けられている。
【００１８】
図５に示すように、前記パイプ部３１の後側部（図５において下側部）には、左右一対の取り付けボス部３３が一体に形成されている。その各取り付けボス部３３は、図示しないエンジンに対しボルト等によって締着可能に形成されている。
【００１９】
図４及び図５に示すように、前記パイプ部３１の下側部には、左から右へ並ぶ第１〜第３の計３個のインジェクタ接続部４１，４２，４３が一体に形成されている。各インジェクタ接続部４１，４２，４３は、下端面を開口するほぼ筒形状に形成されており、前記パイプ部３１と連通されている。各インジェクタ接続部４１，４２，４３は、パイプ部３１の長手方向に関しほぼ等間隔で一列に配置されている。
【００２０】
前記各インジェクタ接続部４１，４２，４３には、左から右へ一列に並ぶ第１〜第３の計３個のインジェクタ♯１，♯２，♯３がその接続部の弾性変形を利用したスナップフィット手段によりそれぞれ挿着されている。各インジェクタ♯１，♯２，♯３には、前記パイプ部３１の燃料供給管接続部３１ａから燃料供給路３２（図６参照）に導入された燃料が供給される。なお、インジェクタ♯１，♯２，♯３の構成については、周知のものとほとんど同様であるからその説明を省略する。また、インジェクタ♯１，♯２，♯３が並ぶ列を「インジェクタ列」ともいう。
【００２１】
図４に示すように、前記各インジェクタ♯１，♯２，♯３には、それぞれ一対のインジェクタ接続端子１ａ，１ｂ，２ａ，２ｂ，３ａ，３ｂが設けられている。図７に示すように、インジェクタ接続端子２ｂ（又は、１ａ，１ｂ，２ａ、３ａ，３ｂ）は、コネクタブロック本体３０の後述する囲い壁部３５の下側の壁部分３５ｂを貫通している。これにより、インジェクタ接続端子２ｂ（又は、１ａ，１ｂ，２ａ、３ａ，３ｂ）が囲い壁部３５内に挿入されている。なお図６及び図７に示すように、囲い壁部３５の下側の壁部分３５ｂとインジェクタ♯２（又は♯１，♯３）との対向面の間には、インジェクタ接続端子２ｂ（又は、１ａ，１ｂ，２ａ、３ａ，３ｂ）を取り巻くパッキン８が介在されている。
【００２２】
図４に示すように、前記各インジェクタ♯１，♯２，♯３の一対のインジェクタ接続端子１ａ，１ｂ，２ａ，２ｂ，３ａ，３ｂのうち、一方のインジェクタ接続端子１ａ，２ａ，３ａがインジェクタ♯１，♯２，♯３への信号を伝達する側のインジェクタ単独接続端子となっており、また、他方のインジェクタ接続端子１ｂ，２ｂ，３ｂがインジェクタ♯１，♯２，♯３を駆動させるバッテリ電圧側のインジェクタ共通接続端子となっている。
【００２３】
また、第１及び第２のインジェクタ♯１，♯２においては、それぞれ右側にインジェクタ単独接続端子１ａ，２ａ、左側にインジェクタ共通接続端子１ｂ，２ｂが配置されている。また、第３のインジェクタ♯３においては、左側にインジェクタ単独接続端子３ａ、右側にインジェクタ共通接続端子３ｂが配置されている（図１０の配線図参照）。
【００２４】
図４及び図６に示すように、前記パイプ部３１の中央部には、１個のコネクタ接続部５０が一体に形成されている。コネクタ接続部５０は、図５及び図６に示すように、パイプ部３１の後方（図６において右方）に開口するほぼ角筒形状のソケット部５０ａを有している。コネクタ接続部５０は、前記第２のインジェクタ接続部４２のほぼ上方に位置している（図４参照）。そのソケット部５０ａには、図示しない外部配線とつながる外部配線接続コネクタが接続される。
【００２５】
前記コネクタ接続部５０には、図４に示すように、４本のコネクタ接続端子５１，５２，５３，５８（図１０参照）が設けられている。各コネクタ接続端子５１，５２，５３，５８は、インジェクタ列にほぼ平行をなすコネクタ接続端子列をもって一列に配置されている。
【００２６】
図６に示すように、前記コネクタ接続端子５８（又は５１，５２，５３）は、コネクタ接続部５０を前後方向（図６において左右方向）に貫通している。コネクタ接続端子５８（又は５１，５２，５３）の後端部（図６において右端部）は、前記ソケット部５０ａ内に収容されている。また、コネクタ接続端子５８（又は５１，５２，５３）の前端部（図６において左端部）は、後述する配電部３６の底面にほぼ沿うようにして下方に折曲されている（図７参照）。
【００２７】
前記４本のコネクタ接続端子５１，５２，５３，５８のうち、図４において左側から２つ目のコネクタ接続端子５８を除いた３本のコネクタ接続端子５１，５２，５３は、各インジェクタ♯１，♯２，♯３への信号を伝達する側で左から右へ順に並ぶ第１〜第３のコネクタ単独接続端子となっている。
【００２８】
また、左側から２つ目のコネクタ接続端子５８は、インジェクタ♯１，♯２，♯３を駆動させるバッテリ電圧側のコネクタ共通接続端子となっている。なお、コネクタ共通接続端子５８は、コネクタ単独接続端子５１，５２，５３よりも幅広状に形成されている。また図７に示すように、コネクタ共通接続端子５８の前端面（図７において左端面）には、ほぼピン形状の配線ガイド５８ａが突出されている。その配線ガイド５８ａの先端部には、上下方向にほぼＴ字状に膨出する電線抜け止め部５８ｂが形成されている。
【００２９】
図４に示すように、前記パイプ部３１の前側部には、前方（図６において左方）に突出するほぼ横長四角形枠状の囲い壁部３５が一体に形成されている。囲い壁部３５において、前記コネクタ接続部５０に対応する上側の壁部分３５ａは、上方にほぼ凸状に膨出されている。また、囲い壁部３５において、前記各インジェクタ接続部４１，４２，４３に対応する下側の壁部分３５ｂは、下方にほぼ凸状に膨出されている。この囲い壁部３５によって取り囲まれた凹部が配電部３６となっている。
【００３０】
図４に示すように、前記配電部３６の底面（正面）上には、左右方向に延びる直線上において断続的に突出する複数（例えば４本）の仕切り壁部６０が一体に形成されている。仕切り壁部６０は、前記コネクタ接続部５０を間にして左右各２本ずつ形成されており、配電部３６内を上下にほぼ二分している。
【００３１】
さらに、前記配電部３６の底面上には、ほぼピン形状をなす第１〜第１４の配線ガイド６１〜７４が左から右へ不規則に突出されている。詳しくは、第１及び第２の配線ガイド６１，６２は、第１のインジェクタ♯１の各インジェクタ接続端子１ａ，１ｂの上方付近にそれぞれ配置されている。第３の配線ガイド６３は、第１のコネクタ単独接続端子５１とその左側に位置する仕切り壁部６０の右端部との中間付近に配置されている。第４の配線ガイド６４は、第１のコネクタ単独接続端子５１の左上方付近に配置されている。第５の配線ガイド６５は、第１のコネクタ単独接続端子５１の下方付近に配置されている。第６の配線ガイド６６は、コネクタ共通接続端子５８の左上方付近に配置されている。
【００３２】
第７の配線ガイド６７は、コネクタ共通接続端子５８と第２のインジェクタ♯２のインジェクタ共通接続端子２ｂとの中間付近に配置されている。第８の配線ガイド６８は、コネクタ共通接続端子５８の右上方付近に配置されている。第９の配線ガイド６９は、第２のコネクタ単独接続端子５２と第２のインジェクタ♯２のインジェクタ単独接続端子２ａとの中間付近に配置されている。第１０の配線ガイド７０は、第３のコネクタ単独接続端子５３の下方付近に配置されている。第１１の配線ガイド７１は、第３のコネクタ単独接続端子５３の右上方付近に配置されている。第１２の配線ガイド７２は、第３のコネクタ単独接続端子５３とその右側に位置する仕切り壁部６０の左端部との中間付近に配置されている。第１３及び第１４の配線ガイド７３，７４は、第３のインジェクタ♯３の各インジェクタ接続端子３ａ，３ｂの上方付近にそれぞれ配置されている。
【００３３】
前記第３及び第１２の配線ガイド６３，７２はそれぞれほぼ円柱形状に形成されており、その他の配線ガイドはそれぞれほぼ四角柱形状に形成されている。また、図７に示すように、第６の配線ガイド６６の先端部には上方に膨出するほぼ山形形状の電線抜け止め部６６ａが形成されている。これと同様に、第１及び第２、第４、第８、第１１、第１３及び第１４の計７本の配線ガイド６１，６２，６４，６８，７１，７３，７４の先端部にも電線抜け止め部（図示省略）が形成されている。また、第５及び第７の配線ガイド６５，６７の先端部には下方に膨出するほぼ山形形状の電線抜け止め部６５ａ，６７ａが形成されている。これと同様に、第１、第９及び第１０の配線ガイド６１，６９，７０の先端部にも電線抜け止め部（図示省略）が形成されている。
【００３４】
図１０に示すように、前記各インジェクタ♯１，♯２，♯３のインジェクタ接続端子１ａ，１ｂ，２ａ，２ｂ，３ａ，３ｂにそれぞれつながる第１〜第３の単独電線１１〜１３及び第１〜第３の共通電線２１〜２３は、前記コネクタ接続部５０に集約して配線されている。これらの電線１１〜１３，２１〜２３は、次に述べるようにして、ほぼ一平面上において非交差状態で配線されている。なお各電線１１〜１３，２１〜２３には、例えばマグネットワイヤが採用されている。また、各インジェクタ♯１，♯２，♯３のインジェクタ接続端子１ａ，１ｂ，２ａ，２ｂ，３ａ，３ｂ及びコネクタ接続部５０の各接続端子１ａ，１ｂ，２ａ，２ｂ，３ａ，３ｂには、各電線の当該端部がハンダ付け、超音波溶着あるいは抵抗溶接等によって接続されている。
【００３５】
すなわち、図１０において、第１の単独電線１１は、一端が第１のインジェクタ♯１のインジェクタ単独接続端子１ａに接続されているとともに、他端がコネクタ接続端子列のインジェクタ側（図１０において下側）から第１のコネクタ単独接続端子５１に接続されている。また、第２の単独電線１２は、一端が第２のインジェクタ♯２のインジェクタ単独接続端子２ａに接続されているとともに、他端がコネクタ接続端子列のインジェクタ側（図１０において下側）から第２のコネクタ単独接続端子５２に接続されている。また、第３の単独電線１３は、一端が第３のインジェクタ♯３のインジェクタ単独接続端子３ａに接続されているとともに、他端がコネクタ接続端子列のインジェクタ側（図１０において下側）から第３のコネクタ単独接続端子５３に接続されている。
【００３６】
また、第１の共通電線２１は、一端が第１のインジェクタ♯１のインジェクタ共通接続端子１ｂに接続されているとともに、他端がコネクタ接続端子列の反インジェクタ側（図１０において上側）からコネクタ共通接続端子５８に接続されている。第１の共通電線２１は、第１のコネクタ単独接続端子５１の上方すなわち反インジェクタ側を迂回している。
【００３７】
また、第２の共通電線２２は、一端が第２のインジェクタ♯２のインジェクタ共通接続端子２ｂに接続されているとともに、他端がコネクタ接続端子列のインジェクタ側（図１０において下側）からコネクタ共通接続端子５８に接続されている。なお、本実施の形態の場合、第１の共通電線２１と第２の共通電線２２とは、コネクタ共通接続端子５８上において１本に連続している。
【００３８】
また、第３の共通電線２３は、一端が第３のインジェクタ♯３のインジェクタ共通接続端子３ｂに接続されているとともに、他端がコネクタ接続端子列の反インジェクタ側（図１０において上側）からコネクタ共通接続端子５８に接続されている。第３の共通電線２３は、第２及び第３のコネクタ単独接続端子５２，５３の上方すなわち反インジェクタ側を迂回している。
【００３９】
さらに、図３に示すように、第１の単独電線１１は、囲い壁部３５内の左半部において仕切り壁部６０によって仕切られた下側の凹部内に収容されている。また、第１の単独電線１１は、第２及び第５の配線ガイド６２，６５を経由している。また、第２の単独電線１２は、第９の配線ガイド６９を経由している。また、第３の単独電線１３は、囲い壁部３５内の右半部において仕切り壁部６０によって仕切られた下側の凹部内に収容されている。また、第３の単独電線１３は、第１０及び第１３の配線ガイド７０，７３を経由している。
【００４０】
また、第１の共通電線２１は、囲い壁部３５内の左半部において仕切り壁部６０によって仕切られた上側の凹部内に収容されている。また、第１の共通電線２１は、第１、第３、第４及び第６の配線ガイド６１，６３，６４，６６を経由している。また、第２の共通電線２２は、第７の配線ガイド６７を経由している。また、第３の共通電線２３は、囲い壁部３５内の右半部において仕切り壁部６０によって仕切られた上側の凹部内に収容されている。また、第３の共通電線２３は、コネクタ共通接続端子５８の配線ガイド５８ａ、並びに、第８、第１１、第１２及び第１４の配線ガイド６８，７１，７２，７４を経由している。
【００４１】
しかして、前記各配線ガイド５８ａ，６１〜７４を経由している電線１１〜１３，２１〜２３は、各配線ガイドに所定の巻き付け回数をもって巻き付けられている。本実施の形態の場合、コネクタ共通接続端子５８の配線ガイド５８ａ、第１及び第２、第５〜第１０、第１３及び第１４の配線ガイド６１，６２，６５〜７０，７３，７４には、当該電線がそれぞれ１．５回程度巻き付けられ、第３、第４、第１１及び第１２の配線ガイド６３，６４，７１，７２には、当該電線がそれぞれ０．４回程度巻き付けられている。また、各電線１１〜１３，２１〜２３は、コネクタ共通接続端子５８の配線ガイド５８ａ、第１及び第２、第４〜第１１、第１３及び第１４の各配線ガイド６１，６２，６４〜７１，７３，７４の電線抜け止め部５８ｂ，６５ａ，６６ａ，６７ａ（図７参照）等によって配線ガイドからの抜け外れが防止されている。
【００４２】
上記したように、各電線１１〜１３，２１〜２３が配線された配電部３６（図３参照）は、図１及び図２に示すように、次に述べるカバー体３８によって被覆される。カバー体３８の正面図が図８、図８のＩＸ−ＩＸ先断面図が図９に示されている。
【００４３】
図８及び図９において、カバー体３８は、前記コネクタブロック本体３０（図４〜図７参照）と同質あるいは類似する樹脂材料によって、ほぼ平板形状に形成されている。カバー体３８は、前記コネクタブロック本体３０の囲い壁部３５（図４参照）の外径形状とほぼ等しい外形形状を有するほぼ平板形状に形成されている。また、カバー体３８の裏面外周縁部には、囲い壁部３５（図４参照）と対応する突条３８ａが一体形成されている（図９参照）。
【００４４】
前記カバー体３８の突条３８ａは、前記囲い壁部３５（図４参照）に嵌合した状態で、コネクタブロック本体３０に振動溶着あるいは接着等によって接合されている。これにより、前記配電部３６がカバー体３８によって被覆されることによって、図１及び図２に示すフューエルデリバリパイプが完成する。
【００４５】
上記したフューエルデリバリパイプによると、図３及び図１０に示すように、３個のインジェクタ♯１，♯２，♯３のインジェクタ単独接続端子１ａ，２ａ，３ａ及びインジェクタ共通接続端子１ｂ，２ｂ，３ｂと単数のコネクタ接続部５０のコネクタ単独接続端子５１，５２，５３及びコネクタ共通接続端子５８との間に配線される複数の電線１１，１２，１３，２１，２２，２３が非交差状態で配線されることにより、コネクタブロックにおける配線の短絡の発生を防止することができる。
【００４６】
また、各インジェクタ♯１，♯２，♯３のインジェクタ単独接続端子１ａ，２ａ，３ａに接続された各単独電線１１，１２，１３は、インジェクタ側からコネクタ接続部５０の各コネクタ単独接続端子５１，５２，５３にそれぞれ接続され、前記各インジェクタ♯１，♯２，♯３のインジェクタ共通接続端子１ｂ，２ｂ，３ｂに接続された各共通電線２１，２２，２３のうち第２の共通電線２２がインジェクタ側からコネクタ接続部５０のコネクタ共通接続端子５８に接続され、その残りの第１及び第２の共通電線２１，２３が反インジェクタ側を迂回して反インジェクタ側からコネクタ接続部５０のコネクタ共通接続端子５８にそれぞれ接続されている。
【００４７】
これにより、各単独電線１１，１２，１３及び各共通電線２１，２２，２３を非交差状態で配線することができる。
【００４８】
また、各電線１１，１２，１３，２１，２２，２３がほぼ一平面上において配線されていることにより、各電線１１，１２，１３，２１，２２，２３を交差させて配線する場合と比べ、コネクタブロックの厚さの増加を防止することができる。
【００４９】
また、各インジェクタ♯１，♯２，♯３が一列に配置され、コネクタ接続部５０には複数のコネクタ単独接続端子５１，５２，５３と単数のコネクタ共通接続端子５８が前記インジェクタ♯１，♯２，♯３の列にほぼ平行をなすコネクタ接続端子列をもって一列に配置されている。これにより、コネクタ接続部５０の複数のコネクタ単独接続端子５１，５２，５３と単数のコネクタ共通接続端子５８を各インジェクタ♯１，♯２，♯３の列に対しほぼ平行に配置することができる。
【００５０】
また、インジェクタ、燃料ポンプ、燃料配管等を含み、燃料タンク内の燃料を吸い込んでインジェクタから噴出するまでの燃料供給にかかる燃料供給装置に上記インジェクタ用コネクタブロックを備えることによって、コネクタブロックにおける配線の短絡の発生を防止することのできるインジェクタ用コネクタブロックを備えた燃料供給装置を提供することができる。
【００５１】
また、コネクタブロック本体３０に燃料供給路３２を一体に設けることにより、配線の短絡を防止することができるフューエルデリバリパイプを提供することができる。
【００５２】
また、各電線１１〜１３，２１〜２３がコネクタブロック本体３０のカバー体３８で封止された配電部３６に収容されている。したがって、各電線１１〜１３，２１〜２３がコネクタブロック本体３０にインサート成形される場合（例えば特開平８−３０３３１９号公報参照）と異なり、コネクタブロック本体３０と各電線１１〜１３，２１〜２３との熱膨張差によるコネクタブロック本体３０の曲がりや各電線１１〜１３，２１〜２３の変形等を防止することができる。
【００５３】
また、配電部３６に備えた仕切り壁部６０により各電線１１〜１３，２１〜２３が区画されているので（図３参照）、各電線１１〜１３，２１〜２３の絶縁が確実になる。
【００５４】
また、配電部３６内において各電線１１〜１３，２１〜２３とインジェクタ♯１，♯２，♯３の接続端子１ａ，１ｂ，２ａ，２ｂ，３ａ，３ｂとを直接的に接続したことにより、各電線１１〜１３，２１〜２３のインジェクタ側の端部に対し、インジェクタ♯１，♯２，♯３の接続端子１ａ，１ｂ，２ａ，２ｂ，３ａ，３ｂと接続する余計な中継端子を設けなくて済む。なお、本発明は中継端子を設けるものにも適用してもよい。
【００５５】
［実施の形態２］
本発明の実施の形態２について図１１の配線図を参照して説明する。実施の形態２は、実施の形態１の配線を変更したものであるからその変更部分について詳述し、実施の形態１と同一もしくは実質的に同一構成と考えられる部分には同一符号を付して重複する説明は省略する。また次以降の実施の形態についても同様の考えで重複する説明は省略する。なお、図１１〜図１３の配線図において、細線は単独接続側の電線を示し、太線は共通接続側の電線を示している。
【００５６】
実施の形態２のものは、実施の形態１（図１０参照）における第３のインジェクタ♯３のインジェクタ単独接続端子３ａとインジェクタ共通接続端子３ｂを左右逆配置としたものである。この場合も、第３のインジェクタ♯３のインジェクタ単独接続端子３ａに接続された第３の単独電線１３は、コネクタ接続端子列のインジェクタ側（図１１において下側）から第３のコネクタ単独接続端子５３に接続されている。また、第３のインジェクタ♯３のインジェクタ共通接続端子３ｂに接続された第３の共通電線２３は、第２のコネクタ単独接続端子５２の上方すなわち反インジェクタ側を迂回してコネクタ接続端子列の反インジェクタ側（図１１において上側）からコネクタ共通接続端子５８に接続されている。
【００５７】
上記した実施の形態２においても、第１〜第３のインジェクタ♯1〜♯３のインジェクタ単独接続端子１ａ，２ａ，３ａ及びインジェクタ共通接続端子１ｂ，２ｂ，３ｂと単数のコネクタ接続部５０のコネクタ単独接続端子５１，５２，５３及びコネクタ共通接続端子５８との間に配線される複数の電線１１，１２，１３，２１，２２，２３を非交差状態で配線することができる。
【００５８】
［実施の形態３］
本発明の実施の形態３について図１２の配線図を参照して説明する。実施の形態３は、直列４気筒エンジン用の配線を示すものであり、左から右へ並ぶ第１〜第４の計４個のインジェクタ♯１〜♯４が配置されている。第１及び第３のインジェクタ♯１，♯３においては、それぞれ右側にインジェクタ単独接続端子１ａ，３ａ、左側にインジェクタ共通接続端子１ｂ，３ｂが配置されている。また、第２及び第４のインジェクタ♯２，♯４においては、左側にインジェクタ単独接続端子２ａ，４ａ、右側にインジェクタ共通接続端子２ｂ，４ｂが配置されている。
【００５９】
コネクタ接続部５０には、５本のコネクタ接続端子５１〜５４，５８がインジェクタ列にほぼ平行をなすコネクタ接続端子列をもって一列に配置されている。５本のコネクタ接続端子５１〜５４，５８のうち、図１２において中央のコネクタ接続端子５８を除いた４本のコネクタ接続端子５１〜５４は、各インジェクタ♯１〜♯４への信号を伝達する側で左から右へ順に並ぶ第１〜第４のコネクタ単独接続端子となっている。また、中央のコネクタ接続端子５８は、インジェクタ♯１，♯２，♯３を駆動させるバッテリ電圧側のコネクタ共通接続端子となっている。
【００６０】
一端が第１〜第４のインジェクタ♯１〜♯４の各インジェクタ単独接続端子１ａ，２ａ，３ａ，４ａに接続された第１〜第４の単独電線１１〜１４は、コネクタ接続端子列のインジェクタ側（図１２において下側）から第１〜第４の各コネクタ単独接続端子５１〜５４にそれぞれ接続されている。
【００６１】
また、第１のインジェクタ♯１のインジェクタ共通接続端子１ｂに接続された第１の共通電線２１は、コネクタ接続端子列の反インジェクタ側（図１２において上側）からコネクタ共通接続端子５８に接続されている。第１の共通電線２１は、第１及び第２のコネクタ単独接続端子５１，５２の上方すなわち反インジェクタ側を迂回している。
【００６２】
また、第２及び第３のインジェクタ♯２，♯３の各インジェクタ共通接続端子２ｂ，３ｂに接続された第２及び第３の共通電線２２，２３は、それぞれコネクタ接続端子列のインジェクタ側（図１２において下側）からコネクタ共通接続端子５８に接続されている。なお、第２及び第３の共通電線２２，２３は、コネクタ共通接続端子５８に対し一本化して接続してもよい。
【００６３】
また、第４のインジェクタ♯４のインジェクタ共通接続端子４ｂに接続された第４の共通電線２４は、コネクタ接続端子列の反インジェクタ側（図１２において上側）からコネクタ共通接続端子５８に接続されている。第４の共通電線２４は、第３及び第４のコネクタ単独接続端子５３，５４の上方すなわち反インジェクタ側を迂回している。
【００６４】
上記した実施の形態３においても、第１〜第４のインジェクタ♯1〜♯４のインジェクタ単独接続端子１ａ，２ａ，３ａ，４ａ及びインジェクタ共通接続端子１ｂ，２ｂ，３ｂ，４ｂと単数のコネクタ接続部５０のコネクタ単独接続端子５１，５２，５３，５４及びコネクタ共通接続端子５８との間に配線される複数の電線１１，１２，１３，１４，２１，２２，２３，２４を非交差状態で配線することができる。
【００６５】
［実施の形態４］
本発明の実施の形態４について図１３の配線図を参照して説明する。実施の形態４は、直列６気筒エンジン用の配線を示すものであり、左から右へ並ぶ第１〜第６の計６個のインジェクタ♯１〜♯６が配置されている。第１、第４及び第５のインジェクタ♯１，♯４，♯５においては、それぞれ右側にインジェクタ単独接続端子１ａ，４ａ，５ａ、左側にインジェクタ共通接続端子１ｂ，４ｂ，５ｂが配置されている。また、第２、第３及び第６のインジェクタ♯２，♯３，♯６においては、左側にインジェクタ単独接続端子２ａ，３ａ，６ａ、右側にインジェクタ共通接続端子２ｂ，３ｂ，６ｂが配置されている。
【００６６】
コネクタ接続部５０には、７本のコネクタ接続端子５１〜５６，５８がインジェクタ列にほぼ平行をなすコネクタ接続端子列をもって一列に配置されている。７本のコネクタ接続端子５１〜５６，５８のうち、図１３において中央のコネクタ接続端子５８を除いた６本のコネクタ接続端子５１〜５６は、各インジェクタ♯１〜♯６への信号を伝達する側で左から右へ順に並ぶ第１〜第６のコネクタ単独接続端子となっている。また、中央のコネクタ接続端子５８は、インジェクタ♯１〜♯６を駆動させるバッテリ電圧側のコネクタ共通接続端子となっている。
【００６７】
一端が第１〜第６のインジェクタ♯１〜♯６の各インジェクタ単独接続端子１ａ，２ａ，３ａ，４ａ，５ａ，６ａに接続された第１〜第６の単独電線１１〜１６は、コネクタ接続端子列のインジェクタ側（図１３において下側）から第１〜第６の各コネクタ単独接続端子５１〜５６にそれぞれ接続されている。
【００６８】
また、第１のインジェクタ♯１のインジェクタ共通接続端子１ｂに接続された第１の共通電線２１は、コネクタ接続端子列の反インジェクタ側（図１３において上側）からコネクタ共通接続端子５８に接続されている。第１の共通電線２１は、第１〜第３のコネクタ単独接続端子５１〜５３の上方すなわち反インジェクタ側を迂回している。
【００６９】
また、第２のインジェクタ♯２のインジェクタ共通接続端子２ｂに接続された第２の共通電線２２は、コネクタ接続端子列の反インジェクタ側（図１３において上側）からコネクタ共通接続端子５８に接続されている。第２の共通電線２２は、第３のコネクタ単独接続端子５３の上方すなわち反インジェクタ側を迂回している。なお、第１及び第２の共通電線２１，２２は、コネクタ共通接続端子５８に対し一本化して接続してもよい。
【００７０】
また、第３及び第４のインジェクタ♯３，♯４の各インジェクタ共通接続端子３ｂ，４ｂに接続された第３及び第４の共通電線２３，２４は、それぞれコネクタ接続端子列のインジェクタ側（図１３において下側）からコネクタ共通接続端子５８に接続されている。なお、第３及び第４の共通電線２３，２４は、コネクタ共通接続端子５８に対し一本化して接続してもよい。
【００７１】
また、第５のインジェクタ♯５のインジェクタ共通接続端子５ｂに接続された第５の共通電線２５は、コネクタ接続端子列の反インジェクタ側（図１３において上側）からコネクタ共通接続端子５８に接続されている。第５の共通電線２５は、第４のコネクタ単独接続端子５４の上方すなわち反インジェクタ側を迂回している。
【００７２】
また、第６のインジェクタ♯６のインジェクタ共通接続端子６ｂに接続された第６の共通電線２６は、コネクタ接続端子列の反インジェクタ側（図１３において上側）からコネクタ共通接続端子５８に接続されている。第６の共通電線２６は、第４〜第６のコネクタ単独接続端子５４〜５６の上方すなわち反インジェクタ側を迂回している。なお、第５及び第６の共通電線２５，２６は、コネクタ共通接続端子５８に対し一本化して接続してもよい。
【００７３】
上記した実施の形態４においても、第１〜第６のインジェクタ♯1〜♯６のインジェクタ単独接続端子１ａ，２ａ，３ａ，４ａ，５ａ，６ａ及びインジェクタ共通接続端子１ｂ，２ｂ，３ｂ，４ｂ，５ｂ，６ｂと単数のコネクタ接続部５０のコネクタ単独接続端子５１，５２，５３，５４，５５，５６及びコネクタ共通接続端子５８との間に配線される複数の電線１１，１２，１３，１４，１５，１６，２１，２２，２３，２４，２５，２６を非交差状態で配線することができる。
【００７４】
本発明は前記実施の形態に限定されるものではなく、本発明の要旨を逸脱しない範囲における変更が可能である。例えば、本発明は、上記実施の形態１〜４に例示した３気筒、４気筒、６気筒以外の気筒数にエンジンに適用することができる。また、各インジェクタは一列に配置しなくてもよい。また、各電線は、非交差状態で配線するものであればよく、ほぼ一平面上に配線するものに限定されるものではない。また、コネクタ接続部５０の各接続端子は、一列に配置しなくてもよい。また、カバー体３８に代えて、コネクタブロック本体３０の配電部３６に対し樹脂をポッティングすることによって、フューエルデリバリパイプを完成させることもできる。
【００７５】
【発明の効果】
本発明によれば、複数のインジェクタのインジェクタ単独接続端子と単数のコネクタ接続部の各コネクタ単独接続端子との間にそれぞれ配線される複数の単独電線、及び、複数のインジェクタのインジェクタ共通接続端子と単数のコネクタ接続部のコネクタ共通接続端子との間にそれぞれ配線される複数の共通電線が非交差状態で配線されていることにより、コネクタブロックの配線の短絡を防止することができる。
【図面の簡単な説明】
【図１】実施の形態１を示すフューエルデリバリパイプの正面図である。
【図２】フューエルデリバリパイプの下面図である。
【図３】コネクタブロック本体の配線を含む正面図である。
【図４】コネクタブロック本体の正面図である。
【図５】コネクタブロック本体の下面図である。
【図６】図４のＶＩ−ＶＩ線断面図である。
【図７】図４のＶＩＩ−ＶＩＩ線断面図である。
【図８】カバー体の正面図である。
【図９】図８のＩＸ−ＩＸ線断面図である。
【図１０】配線図である。
【図１１】実施の形態２を示す配線図である。
【図１２】実施の形態３を示す配線図である。
【図１３】実施の形態４を示す配線図である。
【符号の説明】
♯１，♯２，♯３，♯４，♯５，♯６  インジェクタ
１ａ，２ａ，３ａ  インジェクタ単独接続端子
１ｂ，２ｂ，３ｂ  インジェクタ共通接続端子
１１，１２，１３，１４，１５，１６  単独電線
２１，２２，２３，２４，２５，２６  共通電線
３０  コネクタブロック本体
５０  コネクタ接続部
５１，５２，５３，５４，５５，５６  コネクタ単独接続端子
５８  コネクタ共通接続端子
【図１】
0003749073.tif 000002
【図２】
0003749073.tif 000003
【図３】
0003749073.tif 000004
【図４】
0003749073.tif 000005
【図５】
0003749073.tif 000006
【図６】
0003749073.tif 000007
【図７】
0003749073.tif 000008
【図８】
0003749073.tif 000009
【図９】
0003749073.tif 000010
【図１０】
0003749073.tif 000011
【図１１】
0003749073.tif 000012
【図１２】
0003749073.tif 000013
【図１３】
0003749073.tif 000014